(57)【要約】【課題】本発明の課題は、光コネクタの小型化を実現し、狭い空間でも光コネクタを接続して収納でき、さらに光ファイバとの接続強度もあり、光ファイバの引張りに対して信頼性が高い光コネクタを提供することにある。【解決手段】本発明は、フェルール２４と一体に設けられ、光ファイバコードの抗張力体を接続する接続部２６が設けられたフランジ２５と、前記フランジ２５の接続部２６に光ファイバコードの抗張力体をかしめて取り付けるカシメリング２８と、前記フランジ２５に設けられ、アダプタ２３に係止される第１の係止用突起部２０とを具備することを特徴とするものである。【選択図】図１
2007163768.tif 000002
【特許請求の範囲】
【請求項１】
フェルールと一体に設けられ、光ファイバコードの抗張力体を接続する接続部が設けられたフランジと、
前記フランジの接続部に光ファイバコードの抗張力体をかしめて取り付けるカシメリングと、
前記フランジに設けられ、アダプタに係止される第１の係止用突起部と
を具備することを特徴とする光コネクタ。
【請求項２】
フランジに設けられ、プラグフレームに係止される第２の係止用突起部と、
フェルール及びフランジが挿入され、前記第２の係止用突起部に係止して取り付けられるプラグフレームと
を具備することを特徴とする請求項１に記載の光コネクタ。
【請求項３】
フランジが金属製であることを特徴とする請求項１又は２に記載の光コネクタ。
【請求項４】
請求項１に記載の光コネクタがアダプタに接続された際、アダプタに挿入されて第１の係止用突起部がアダプタから係止解除されるのを防止することを特徴とするコネクタ固定具。
【請求項５】
請求項１に記載の光コネクタのフランジの一部及びフェルールが挿入される収納室と、
前記収納室内に設けられ、フランジの第１の係止用突起部が係合される係合部と、
牽引用ロープが接続される牽引端と
を具備することを特徴とする牽引用治具。
【請求項６】
収納室が複数室設けられることを特徴とする請求項５に記載の牽引用治具。
【発明の詳細な説明】
【技術分野】
【０００１】
本発明は、建物内に配管配線する際に光ファイバコードの端部に取り付ける光コネクタ、前記光コネクタをアダプタに固定するコネクタ固定具、及び前記光コネクタを係合して光ファイバコードを牽引する牽引用治具に関するものである。
【背景技術】
【０００２】
螺旋形状を有する光ファイバコードを配管内に通線する光ファイバの配線方法が提案されている（例えば、特許文献１参照。）。螺旋形状により光ファイバコードが伸縮可能になり、光ファイバコードの余長処理が容易になる。また、あらかじめ両端を光コネクタで終端した光ファイバコードを通線することで、通線後にコンセントボックス等の情報端末との接続を容易にしている。
【０００３】
両端に光コネクタを装着した光ファイバコードを配管内に通線する場合、光ファイバコードに装着する光コネクタは配管の内径より小さいサイズとする必要があり、主にＳＣコネクタやＭＵコネクタが装着される。
【０００４】
図６は従来のＳＣコネクタを示す分解側面図である。図６に示すように、フェルール１１はスプリング１２を介してストップリング１３に一体に取り付けられる。前記ストップリング１３には光ファイバコードの抗張力体がカシメリング１４によりかしめて一体に取り付けられ、光ファイバコードの引張りに対して強度を持たせている。前記カシメリング１４の後端部には光ファイバコードの外被がリング１５によりかしめて固定される。前記リング１５、及びカシメリング１４の一部はブーツ１６で覆われる。光ファイバは、ブーツ１６、リング１５、カシメリング１４、ストップリング１３、スプリング１２の中心軸部の孔を通してフェルール１１の中心軸部の孔に接着剤により固定される。前記フェルール１１、スプリング１２、ストップリング１３、及びカシメリング１４は一体化されてプラグフレーム１７内に着脱自在に装着される。前記プラグフレーム１７にはツマミ１８が装着され、前記ツマミ１８を軸方向に移動することにより、アダプタとの着脱が可能になる。
【０００５】
ＳＣコネクタを装着した光ファイバコードを配管内で配線するときは、構成部品を一体化するためプラグフレーム１７まで組み立てた状態で配線する必要があり、通常はツマミ１８まで装着した状態で配線する。ＭＵコネクタもＳＣコネクタと構成部品は同様であり、構成部品を全て組み立てた後で配管内に通線する。
【０００６】
光コネクタを装着した光ファイバコードを配管内に通線するための牽引治具も提案され、光コネクタのアダプタを牽引端として利用した牽引治具がある。
【０００７】
【特許文献１】特開２００５−１６５３０３号公報
【特許文献２】特開平８−２４８２６３号公報
【発明の開示】
【発明が解決しようとする課題】
【０００８】
配線に使用されることが多い配管として、内径が１６ｍｍである配管がある。ＳＣコネクタやＭＵコネクタは、フェルール１１、スプリング１２、ストップリング１３、カシメリング１４をプラグフレーム１７内で一体化しなければならないため、最も小型化した状態であってもプラグフレーム１７まで組み立てた状態で配線しなければならない。光コネクタで両端を終端した光ファイバコードを配線する場合、内径が１６ｍｍである配管ではＳＣコネクタを１個だけ通線するスペースしかないため、単心の光ファイバコードしか配線することができない。心数分のＳＣコネクタやＭＵコネクタを装着した多心の光ファイバコードを配管内に通線することができない課題がある。また、従来の光コネクタでは単心しか通線できなかったため、複数の光コネクタを装着した光ファイバコードを牽引するための牽引用治具の実現が課題であった。
【０００９】
ツマミやプラグフレームを省いた小型の光コネクタとして簡易光レセプタクルがある（例えば、特許文献２参照。）。簡易光レセプタクルは、装置内部の光部品と装置外部の光ファイバを接続する光コネクタである。装置内部の接続では、０．９ｍｍ径や０．２５ｍｍ径の心線を用いることが多く、さらに装置内部側では外力が作用しないため、光コネクタの構造を簡易にして小型化している。簡易光レセプタクルは、簡易フェルール、割りスリーブを挿入保持する係合片付きスリーブ及び係合片付きスリーブを嵌合固定するハウジングより構成される。簡易フェルールがプラグとなる。簡易光レセプタクル用プラグは、取り付ける光ファイバとしてクラッドをＵＶ樹脂で覆っただけの光ファイバ心線を対象としており、光ファイバはフェルール内で接着剤を用いて固定することで保持する構造しかないため、引張り等の外力に対して光ファイバが破断する可能性が高い。そのため、簡易フェルールを光ファイバコードに装着しても配管内で牽引することができず、小型である簡易光レセプタクルのプラグを装着したとしても、多心光ファイバコードを配管へ配線することができない課題があった。また、簡易フェルールと係合片付スリーブの接続強度はＳＣコネクタのプラグとアダプタの接続強度に比較して弱いため、外力が加わると接続が解除されてしまう可能性があることが課題であった。
【００１０】
本発明は上記の事情に鑑みてなされたもので、光コネクタの小型化を実現し、狭い空間でも光コネクタを接続して収納でき、さらに光ファイバとの接続強度もあり、光ファイバの引張りに対して信頼性が高い光コネクタ、コネクタ固定具及び牽引用治具を提供することを目的とする。
【課題を解決するための手段】
【００１１】
上記目的を達成するために本発明の光コネクタは、フェルールと一体に設けられ、光ファイバコードの抗張力体を接続する接続部が設けられたフランジと、前記フランジの接続部に光ファイバコードの抗張力体をかしめて取り付けるカシメリングと、前記フランジに設けられ、アダプタに係止される第１の係止用突起部とを具備することを特徴とするものである。
【００１２】
また本発明は、前記光コネクタにおいて、フランジに設けられ、プラグフレームに係止される第２の係止用突起部と、フェルール及びフランジが挿入され、前記第２の係止用突起部に係止して取り付けられるプラグフレームとを具備することを特徴とするものである。
【００１３】
また本発明は、前記光コネクタにおいて、フランジが金属製であることを特徴とするものである。
【００１４】
また、本発明のコネクタ固定具は、前記光コネクタがアダプタに接続された際、アダプタに挿入されて第１の係止用突起部がアダプタから係止解除されるのを防止することを特徴とするものである。
【００１５】
また本発明の牽引用治具は、前記光コネクタのフランジの一部及びフェルールが挿入される収納室と、前記収納室内に設けられ、フランジの第１の係止用突起部が係合される係合部と、牽引用ロープが接続される牽引端とを具備することを特徴とするものである。
【００１６】
また本発明は、前記牽引用治具において、収納室が複数室設けられることを特徴とするものである。
【発明の効果】
【００１７】
本発明の光コネクタは、光コネクタを装着した状態の光ファイバを配管内に通線するための光コネクタであり、多心の光ファイバを配管配線できる。また、光コネクタのサイズを小型化しながら、光ファイバとの接続強度も従来のコネクタと同等であり、光ファイバの引張りに対して信頼性が高い。従来の光コネクタが接続不可能であった狭い空間でも光コネクタを接続して収納できる。
【００１８】
また、本発明のコネクタ固定具は光コネクタがアダプタから係止解除されるのを防止することができ、光コネクタをアダプタに確実に固定することができる。
【００１９】
また、本発明の牽引用治具は、光コネクタを係合して光ファイバコードを牽引し、フェルールを一体に有するフランジ部材を把握する構造であるため、複数の光コネクタを把握できる。光コネクタで終端した複数の光ファイバを配管内で牽引することが可能になる。
【発明を実施するための最良の形態】
【００２０】
以下図面を参照して本発明の実施の形態を詳細に説明する。
図１（ａ）は本発明の第１の実施形態に係る光ファイバコードを示す側面図であり、図１（ｂ）は本発明の第１の実施形態に係る光コネクタを示す分解側面図である。
図１（ａ）に示すように、光ファイバコード２１の中央部には螺旋状に形成された螺旋部２２が形成され、光ファイバコード２１の両端部にはそれぞれ配管配線コネクタ２３が取り付けられる。
【００２１】
図１（ｂ）に示すように、光コネクタである配管配線コネクタ２３は、フェルール２４の後端部には円筒状のフランジ２５が同一軸上に一体に設けられ、前記フランジ２５のフェルール２４近傍外周には第１の係止用突起部２０が設けられる。前記フランジ２５の後端部には径大にした円筒状の接続部２６が同一軸上に一体に設けられ、前記フランジ２５の前記接続部２６近傍外周には突起部２７が一体に設けられる。前記接続部２６には光ファイバコード２１の抗張力体が円筒状のカシメリング２８によりかしめられて取り付けられる。前記カシメリング２８の後端部には光ファイバコード２１の外被がリング２９によりかしめて固定される。尚、リング２９を用いずに、光ファイバコード２１の外被を接着剤によりカシメリング２８と固定することもできる。前記リング２９及びカシメリング２８にはブーツ３０が装着される。光ファイバコード２１の心線である光ファイバはブーツ３０、リング２９、カシメリング２８、及びフランジ２５の中心軸部の孔を通してフェルール２４の中心軸部の孔に接着剤により固定される。
【００２２】
前記フェルール２４はＳＣコネクタやＭＵコネクタ用のフェルールを使用する。前記フランジ２５はステンレス鋼等の金属製であり、カシメリング２８によりかしめても破損しない部材となっている。光ファイバコード２１の抗張力体をフランジ２５の接続部２６でカシメリング２８によりかしめるため、光ファイバケーブル２１を配管内で牽引しても光ファイバが破断することはなく、牽引力に対して充分耐える接続強度を持つことができる。また、光ファイバコード２１の抗張力体をフランジ２５の接続部２６でカシメリング２８によりかしめるため、配管配線コネクタ２３を小型化できる。
【００２３】
本実施形態の配管配線コネクタ２３は、従来の光コネクタと比較し、ツマミとプラグフレームがないため、光コネクタのサイズを小型化できる。内径が１６ｍｍである配管へ配線する場合、従来のＳＣコネクタが１個で終端した光ファイバを１心しか通線できなかったが、本実施形態の配管配線コネクタ２３とすることで４心まで通線可能になる。多心の光ファイバそれぞれを本実施形態の配管配線コネクタ２３で終端することで、多心光ファイバを配管配線することが可能になる。
【００２４】
また、本実施形態の配管配線コネクタ２３は、従来の光コネクタでは接続が不可能であった狭い空間での光コネクタ接続が可能になる。例えば、奥行きが４５ｍｍや３６ｍｍであるスイッチボックス内では従来のＳＣコネクタをアダプタへ水平に接続することが不可能であった。本実施形態の配管配線コネクタ２３は深さが４５ｍｍであるスイッチボックスであっても、光コネクタを水平に挿入した状態でスイッチボックス内に収納することができる。
【００２５】
尚、本実施形態の配管配線コネクタ２３には、従来の光コネクタの構成部品であるスプリング及びストップリングがない。すなわち、一方の光コネクタのスプリングは一方の光コネクタのフェルールを、アダプタ内で対向して接続する他方の光コネクタのフェルールに押し付ける役割がある。また、ストップリングはスプリングの力が一方向にしか働かないようにスプリングの動きを止める役割がある。本実施形態の配管配線コネクタ２３はスプリング及びストップリングがないことで、一方の配管配線コネクタ２３のフェルールを他方の光コネクタのフェルールに押し付ける力がなくなる。しかし、他方の光コネクタがスプリング及びストップリングを備えた従来の光コネクタ、例えばＳＣコネクタであれば、一方の配管配線コネクタ２３にスプリング及びストップリングがなくても、他方の光コネクタのフェルールは一方の配管配線コネクタ２３のフェルールに押し付ける力があり、両方の光コネクタのフェルール同士は特性良く接続できる。
【００２６】
図２（ａ）は本発明の第１の実施形態に係る光コネクタの接続例を示す分解側面図、図２（ｂ）は本発明の実施形態に係るコネクタ固定具を示す斜視図、図２（ｃ）は本発明の実施形態に係るコネクタ固定具の使用例を示す構成説明図である。
【００２７】
図２（ａ）に示すように、光コネクタである配管配線コネクタ２３は配管に通線された後、アウトレット等のアダプタ３１で他のＳＣコネクタプラグ３２と接続する。前記アダプタ３１は、弾性をもつ割りスリーブ３３、割りスリーブ３３を内部に挿入保持する係止片付スリーブ３４、及び係止片付スリーブ３４を内部に嵌合固定するアダプタハウジング３５より構成される。アダプタハウジング３５内の係止片付スリーブ３４の間隔が狭い係止片３６側より配管配線コネクタ２３を挿入する。配管配線コネクタ２３の第１の係止用突起部２０が係止片３６と係止して配管配線コネクタ２３とアダプタ３１が接続する。アダプタハウジング３５内の係止片付スリーブ３４の間隔が広い係止片３７側からＳＣコネクタプラグ３２を挿入することで、ＳＣコネクタプラグ３２と係止片３７が係止して、ＳＣコネクタプラグ３２とアダプタ３１が接続する。この場合、配管配線コネクタ２３のフェルールとＳＣコネクタプラグ３２のフェルールはアダプタ３１の割りスリーブ３３内に双方から挿入され、互いに突き合わせることによって光ファイバ同士を接続する。ＳＣコネクタプラグ３２とアダプタ３１の接続はＪＩＳ規格により６８．６Ｎ以上の力で保持した状態で接続している。一方、配管配線コネクタ２３の第１の係止用突起部２０と係止片３６の接続強度はＳＣコネクタプラグ３２とアダプタ３１の接続に比べて弱い。これは係止片３６がない方向に力が加わった場合に容易に接続が解除されるためであり、配管へ配線後にアダプタ３１へ接続した状態で引張り等の外力が加わったときに接続が解除される可能性がある。係止片３６を全ての面に設ける方法もあるが、接続解除する場合には解除用の治具が必要となり、治具の構造、操作も複雑になる可能性がある。
【００２８】
そこで、簡易に接続強度を増加させる手段として、図２（ｂ）に示すようなコネクタ固定具を使用する。すなわち、コネクタ固定具３８は一対の長方形板状の解除防止部３９の端部近傍相互間を連結板４０で一体に連結して構成される。前記連結板４０及び解除防止部３９により断面コ字状のコード挿通用切り欠け４１が形成される。図２（ｃ）に示すように、配管配線コネクタ２３をアダプタ３１へ接続した後に、配管配線コネクタ２３とアダプタ３１の接続の解除は、係止片３６が外側へ開いて第１の係止用突起部２０との係止がはずれるために発生する。そこで、コネクタ固定具３８の解除防止部３９を、アダプタハウジング３５と係止片３６の隙間へ挿入することで、係止片３６が開いて配管配線コネクタ２３の第１の係止用突起部２０がアダプタ３１から係止解除されるのを防止することができる。配管配線コネクタ２３とアダプタ３１の接続後にコネクタ固定具３８を装着するために、コネクタ固定具３８には光ファイバコード２１が挿通されるコード挿通用切り欠け４１を設ける。コネクタ固定具３８とアダプタハウジング３５の材質を金属とすることで、接続強度は強くなり、外力により接続が解除されることはなく、信頼性の高い接続を実現する。
【００２９】
図３は本発明の第２の実施形態に係る光コネクタを示す分解側面図である。
図３中、図１と同一部分は同一符号を付してその説明を省略する。図３に示すように、配管配線コネクタ２３のフランジ２５の外周には第２の係止用突起部５２が設けられ、前記配管配線コネクタ２３にはフェルール２４側からプラグフレーム５３が挿入され、前記プラグフレーム５３の凹部が前記第２の係止用突起部５２と係合して取り付けられる。前記プラグフレーム５３にはツマミ５４が装着できる。図１（ａ）に示した状態で配管配線コネクタ２３を配管内へ通線し、通線後にプラグフレーム５３とツマミ５４を装着することで、割りスリーブ３３、係止片付スリーブ３４、及びアダプタハウジング３５で構成されるアダプタ３１と接続することができる。コネクタ固定具３８を必要とすることなく、配管配線コネクタ２３とアダプタ３１の接続強度をＪＩＳ規格である６８．６Ｎ以上とすることができるため、外力により接続が解除されることなく、信頼性の高い接続を実現できる。また、ツマミ５４の軸方向への移動操作のみで簡単にアダプタ３１との着脱ができるため接続操作性が向上する。
【００３０】
図４は本発明の実施形態に係る牽引用治具を示す斜視図であり、図５は図４の牽引用治具に光ファイバコードを接続した状態を示す横断面図である。図４に示すように、牽引用治具本体６１には上面及び前面が開口した複数の収納室６２が設けられ、前記収納室６２の両壁には上下方向の溝よりなる係合部６３が設けられる。前記牽引用治具本体６１の上面には蓋６４が後部を回転自在に取り付けられ、前記蓋６４の前部には係止用爪６５が設けられる。前記蓋６４が閉められた際、係止用爪６５が係止される牽引用治具本体６１の位置には係止用突起６６が設けられる。
【００３１】
図５に示すように、前記牽引用治具本体６１の後部には牽引用ロープが接続されるケーブル牽引端６７が設けられる。前記収納室６２には配管配線コネクタ２３のフランジ２５の一部、第１の係止用突起部２０、及びフェルール２４が収容され、前記第１の係止用突起部２０が係合部６３に嵌め込まれて係合保持される。前記収納室６２にはそれぞれ２個づつの配管配線コネクタ２３が収納できる。前記収納室６２に配管配線コネクタ２３を収納後、蓋６４が閉められ、係止用爪６５が係止用突起６６に係止される。すなわち、内径が１６ｍｍである配管内で配管配線コネクタ２３を端部に４個装着した４心の光ファイバコードを牽引するための牽引用治具である。尚、収納室６２はフェルール２４の先端面が収納室６２の壁面と接触することがないように形成される。図５には配管配線コネクタ２３を１個収納した牽引用治具を示す。収納室６２では配管配線コネクタ２３を４個まで収納できる。収納室６２は２つに仕切られており、それぞれに２個の配管配線コネクタ２３を縦に積んだ状態で保持する。２個の配管配線コネクタ２３を牽引する場合は、２個を縦列に積んで収納する方法と、それぞれに、１個ずつ収納する方法のいずれでも良い。牽引用治具６１の先端にはケーブル牽引端６７があり、牽引用ロープ、あるいは通線ロッドと接続できる構造となっており、ロープを牽引して配管内で光コネクタ付き光ファイバコードを牽引する。収納室６７への配管配線コネクタ２３の着脱は蓋６４を開閉することで行い、蓋６４には係止用爪６５があり、係止用突起６６と締結できる構造である。牽引用治具６１の材料を金属とすることで、牽引時の引張り力に対する強度を増すことができる。牽引用治具６１の外面は面取り、あるいは曲面としてエッジのない形状とする。牽引用治具６１は配管内壁と接触するため牽引に対して抵抗する力が発生するが、エッジのない外形状とすることで配管内壁と牽引用治具６１の接触による抵抗が小さくなり、牽引に必要な力を小さくする効果がある。
【００３２】
また、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００３３】
【図１】（ａ）は本発明の第１の実施形態に係る光ファイバコードを示す側面図であり、（ｂ）は本発明の第１の実施形態に係る光コネクタを示す分解側面図である。
【図２】（ａ）は本発明の第１の実施形態に係る光コネクタの接続例を示す分解側面図、（ｂ）は本発明の実施形態に係るコネクタ固定具を示す斜視図、（ｃ）は本発明の実施形態に係るコネクタ固定具の使用例を示す構成説明図である。
【図３】本発明の第２の実施形態に係る光コネクタを示す分解側面図である。
【図４】本発明の実施形態に係る牽引用治具を示す斜視図である。
【図５】図４の牽引用治具に光ファイバコードを接続した状態を示す横断面図である。
【図６】従来のＳＣコネクタを示す分解側面図である。
【符号の説明】
【００３４】
２３…配管配線コネクタ、２４…フェルール、２５…フランジ、２６…接続部、２７…突起部、２８…カシメリング、２９…リング、３０…ブーツ。
【図１】
2007163768.tif 000003
【図２】
2007163768.tif 000004
【図３】
2007163768.tif 000005
【図４】
2007163768.tif 000006
【図５】
2007163768.tif 000007
【図６】
2007163768.tif 000008